(57)【要約】【課題】従来の微生物利用の廃棄物処理装置において、多量の水分を含む生ごみが投入された場合に、水分過多により臭気が増大する課題を有していた。【解決手段】撹拌翼（撹拌手段）２４を有すると共に担体２５を内装する微生物処理槽２１を備え、微生物処理槽２１の上流側に、乾燥手段２６を設ける廃棄物処理装置とした。これにより、水分の多い生ごみ等を処理する場合に、微生物処理槽２１に入れる前に乾燥手段２６で所定時間、乾燥を行い、そのまま、乾燥手段２６から微生物処理槽２１への生ごみの移送が可能となるもので、より簡便な構造で、臭気の発生の少ない、使い勝手の良い廃棄物処理装置の実現が可能となるものである。【選択図】　図１
2004016890.tif 000002
【特許請求の範囲】
【請求項１】
撹拌手段を有すると共に担体を内装した微生物処理槽を備え、前記微生物処理槽の上流側に、乾燥手段を設ける構成とした廃棄物処理装置。
【請求項２】
乾燥手段と微生物処理槽を隔離する隔壁の一部に、開閉自在なるシャッタを設けた請求項１記載の廃棄物処理装置。
【請求項３】
シャッタを、乾燥手段と微生物処理槽を隔離する隔壁の開口に沿ってスライドする請求項２記載の廃棄物処理装置。
【請求項４】
乾燥手段を有した略円筒形の乾燥室を備え、シャッタを、略円筒形の乾燥室と微生物処理槽を隔離する隔壁の開口に合わせて回転スライドする請求項２記載の廃棄物処理装置。
【請求項５】
乾燥手段を有した乾燥室と、前記乾燥室の一壁の一部又は全部を構成する開閉自在なる蓋と、前記蓋の開閉を検知する蓋スイッチと、乾燥室の送風機を制御する制御装置とを備え、前記蓋スイッチを前記制御装置に接続した請求項１記載の廃棄物処理装置。
【請求項６】
蓋に、蓋スイッチを設け、前記蓋スイッチにより蓋開を検知した時は、送風機の状態にかかわらず、送風機を停止するかもしくは送風量を制限する請求項５記載の廃棄物処理装置。
【請求項７】
乾燥手段を有した乾燥室と、前記乾燥室の一壁の一部又は全部を構成する開閉自在なる蓋と、前記蓋の開閉を検知する蓋スイッチと、シャッタの開放駆動を制御する制御装置とを設け、前記蓋スイッチを制御装置に接続するとともに、制御装置にタイマを内蔵してなる請求項２記載の廃棄物処理装置。
【請求項８】
蓋スイッチにより蓋開と検知した時はタイマを起動し、所定の時間経過後にシャッタを開放する請求項７記載の廃棄物処理装置。
【請求項９】
蓋スイッチにより、蓋開と検知した時は、シャッタの動作を停止する請求項７記載の廃棄物処理装置。
【請求項１０】
乾燥手段を有した乾燥室と、前記乾燥室の一壁の一部又は全部を構成する開閉自在なる蓋と、前記蓋の開閉用の把手と、前記蓋の開閉を検知する蓋スイッチと、蓋閉と検知した状態で前記蓋を開放不能に固定するロック機構と、シャッタの開閉駆動を制御する制御装置とを備え、前記蓋スイッチおよび前記ロック機構を、前記制御装置に連結した請求項２記載の廃棄物処理装置。
【請求項１１】
シャッタが開いている時は、ロック機構により蓋を開放不能に固定した請求項１０記載の廃棄物処理装置。
【請求項１２】
ロック機構により蓋が開放不能に固定されていることを表示するロック表示器を設けてなる請求項１１記載の廃棄物処理装置。
【請求項１３】
蓋を開放する開放ボタンを設け、ロック機構により蓋が開放不能に固定されている時には、前記開放ボタンを固定、もしくは開放ボタンと蓋解放機構との連携を解除し、開放ボタンの蓋開放機能を無効にする請求項１１記載の廃棄物処理装置。
【発明の詳細な説明】
【０００１】
【発明の属する技術分野】
本発明は主として家庭用又は業務用の廃棄物を減容、減量処理する廃棄物処理装置に関するものである。
【０００２】
【従来の技術】
従来の家庭などで発生する生ごみ等の廃棄物の量を減量したり、減容したりする廃棄物処理装置では、図８に示すように、廃棄物処理装置本体５０内に微生物の生息場所となるおがくず等の微生物担体５１を入れた微生物処理槽５２と、投入された生ゴミ５３と微生物担体５１とを混合、撹拌するための回転撹拌棒５４及びその駆動装置５５を有し、投入された生ごみ５３を微生物により最終的には二酸化炭素と水、その他に分解し、生ごみ５３を減量、減容するもので、微生物処理槽５２内の温度を適正に保つための加熱手段５６、酸素（空気）を供給するための送風装置５７、それらの制御を行う制御手段（図示せず）を備え、微生物の働きにより生ごみ５３等の廃棄物を分解し減量、減容するいわゆるバイオ式生ごみ処理機といわれる装置が一般的に知られている。
【０００３】
【発明が解決しようとする課題】
しかしながら、前記従来の技術で説明したバイオ式生ごみ処理機にあっては、湿潤な生ごみの連続投入があったとき等に、微生物処理槽が水分過多となり、嫌気性細菌が優位になることにより、臭気の原因となる分解生成物が多量に生成されるという課題を有していた。
【０００４】
本発明は、前記従来の課題を解決するもので、生ごみ等の廃棄物を乾燥してから、微生物処理槽に投入することにより、臭気の発生の少ない、使い勝手の良い廃棄物処理装置の提供を目的とするものである。
【０００５】
【課題を解決するための手段】
前記従来の課題を解決するために、本発明の廃棄物処理装置は、撹拌手段を有すると共に担体を内装した微生物処理槽を備え、前記微生物処理槽の上流側に、乾燥手段を設ける構成とすることにより、臭気の発生の少ない、使い勝手の良い廃棄物処理装置を提供するものである。
【０００６】
【発明の実施の形態】
請求項１に記載の発明は、撹拌手段を有すると共に担体を内装した微生物処理槽を備え、前記微生物処理槽の上流側に、乾燥手段を設ける構成としたことにより、水分の多い生ごみ等を処理する場合に微生物処理槽に入れる前に所定時間、乾燥手段で乾燥を行い、そのまま、落下することによって微生物処理槽への生ごみの移送が可能となるもので、より簡便な構成で、臭気の発生の少ない、使い勝手の良い廃棄物処理装置の実現が可能となるものである。
【０００７】
請求項２に記載の発明は、特に、請求項１に記載の乾燥手段と微生物処理槽を隔離する隔壁の一部に、開閉自在なるシャッタを設けたもので、乾燥手段での所定の乾燥工程を確実に実現し、微生物処理槽へのスムーズな移送を可能とするものである。
【０００８】
請求項３に記載の発明は、特に、請求項２に記載のシャッタを、乾燥手段と微生物処理槽を隔離する隔壁の開口に沿ってスライドするもので、乾燥手段を微生物処理槽の上流に配置した場合にシャッタの必要スペースを小さく構成でき、より高さの低いコンパクトな廃棄物処理装置が実現できるものである。
【０００９】
請求項４に記載の発明は、特に、請求項２に記載の発明に加えて、乾燥手段を有した略円筒形の乾燥室を備え、シャッタを、略円筒形の乾燥室と微生物処理槽を隔離する隔壁の開口に合わせて回転スライドするもので、軸駆動により、開閉が可能で、よりコンパクトで、スリップなどの不都合のない確実性の高い廃棄物処理装置が実現できるものである。
【００１０】
請求項５に記載の発明は、特に、請求項１に記載の発明に加えて、乾燥手段を有した乾燥室と、前記乾燥室の一壁の一部又は全部を構成する開閉自在なる蓋と、前記蓋の開閉を検知する蓋スイッチと、乾燥室の送風機を制御する制御装置とを備え、前記蓋スイッチを前記制御装置に接続したもので、乾燥室での乾燥中の不用意な蓋開放によるごみの飛び散りなどを防止できるものである。
【００１１】
請求項６に記載の発明は、特に、請求項５に記載の蓋に、蓋スイッチを設け、前記蓋スイッチにより蓋開を検知した時は、送風機の状態にかかわらず、送風機を停止するかもしくは送風量を制限するもので、乾燥室での乾燥中の不用意な蓋開放によるごみの飛び散りなどを防止できるものである。
【００１２】
請求項７に記載の発明は、特に、請求項２に記載の発明に加えて、乾燥手段を有した乾燥室と、前記乾燥室の一壁の一部又は全部を構成する開閉自在なる蓋と、前記蓋の開閉を検知する蓋スイッチと、シャッタの開放駆動を制御する制御装置とを設け、前記蓋スイッチを制御装置に接続するとともに、制御装置にタイマを内蔵してなるもので、蓋の操作からシャッタの開閉の時間を任意に設定することができるもので、乾燥室の乾燥運転の多様な制御が可能となり、より色々なごみに対する運転対応が可能となるものである。
【００１３】
請求項８に記載の発明は、特に、請求項７に記載の蓋スイッチにより蓋開と検知した時はタイマを起動し、所定の時間経過後にシャッタを開放するもので、ごみの投入動作に対して、一定の乾燥運転とごみの微生物処理槽への移送の自動化を実現することにより、利用者が意識することなく、乾燥から微生物分解へと行程を移行する使い勝手の良い廃棄物処理装置を実現できるものである。
【００１４】
請求項９に記載の発明は、特に、請求項７に記載の蓋スイッチにより、蓋開と検知した時は、シャッタの動作を停止するもので、シャッタの動作を止めることにより、不用意に異物を巻き込んだりということがなく、安全に使用できる廃棄物処理装置を実現できるものである。
【００１５】
請求項１０に記載の発明は、特に、請求項２に記載の発明に加えて、乾燥手段を有した乾燥室と、前記乾燥室の一壁の一部又は全部を構成する開閉自在なる蓋と、前記蓋の開閉用の把手と、前記蓋の開閉を検知する蓋スイッチと、蓋閉と検知した状態で前記蓋を開放不能に固定するロック機構と、シャッタの開閉駆動を制御する制御装置とを備え、前記蓋スイッチおよび前記ロック機構を、前記制御装置に連結したもので、シャッタの動作と蓋の開閉動作を連動することが可能で、安全に使用できる廃棄物処理装置を実現できるものである。
【００１６】
請求項１１に記載の発明は、特に、請求項１０に記載のシャッタが開いている時は、ロック機構により蓋を開放不能に固定したもので、使用者はシャッタ開放時には蓋をあけることができないので、不用意に微生物処理槽に異物や殺菌効果のある微生物分解を阻害するものを落とすなどの失敗をすることなく、より安心して使用できる廃棄物処理装置を実現できるものである。
【００１７】
請求項１２に記載の発明は、特に、請求項１１に記載のロック機構により蓋が開放不能に固定されていることを表示するロック表示器を設けてなるもので、制御装置により、蓋の開放操作などができない場合に使用者に報知することで、使用者が故障等とは違うということを認知することができ、より使い勝手の良い廃棄物処理装置を実現できるものである。
【００１８】
請求項１３に記載の発明は、特に、請求項１１に記載の蓋を開放する開放ボタンを設け、ロック機構により蓋が開放不能に固定されている時には、前記開放ボタンを固定、もしくは開放ボタンと蓋解放機構との連携を解除し、開放ボタンの蓋開放機能を無効にするもので、蓋の固定時に蓋開放の操作を行ったとしても開けることができないので、より安心して使用できる廃棄物処理装置を実現できるものである。
【００１９】
【実施例】
以下本発明の実施例について、図面を参照しながら説明する。
【００２０】
（実施例１）
図１は、本発明の第１の実施例における廃棄物処理装置の断面図を示すものである。図１において２０は廃棄物処理装置本体（以下、本体と呼ぶ）である。２１は本体２０の下部に配置された微生物処理槽である。微生物処理槽内２１には制御装置２２に接続された撹拌モータ（撹拌手段）２３により回転駆動される撹拌翼（撹拌手段）２４が回転し、微生物処理槽内２１内に内装されたごみ及びおがくず等の担体２５を撹拌するものである。
【００２１】
また、微生物処理槽２１内には外気と連通した給排気手段（図示せず）が設けられている。２６は本体２０の上部で、微生物処理槽２１の上方に位置する乾燥室にして、送風機２７が送風可能に配置されている。そして、乾燥室２６と送風機２７とで乾燥手段を構成している。２８は乾燥室２６の下端、底面を形成するシャッタにして、開閉することにより、乾燥室２６と微生物処理槽２１を連通、分離する。２９は前記シャッタを開閉駆動する開閉装置である。
【００２２】
なお、開閉装置２９および前記送風機２７は共に前記制御装置２２に接続制御されている。３０は本体２０の開閉自在なる蓋にして、ヒンジ３１で本体２０と回動自在に連結され、前記乾燥室２６の上壁を構成している。
【００２３】
以上の構成において、その動作を説明する。
【００２４】
図２は本発明の実施例１の動作を表したフローチャートである。本発明の実施例１による廃棄物処理装置の本体２０の蓋３０を開放し、乾燥室２６に生ごみＡを投入する（Ｓ０００１）。その際、シャッタ２８は閉じた状態である。その後、蓋３０を閉めて、開始スイッチ（図示せず）を入れると（Ｓ０００２）、制御装置２２は送風機２７を駆動し、乾燥室２６に外気を送風する（Ｓ０００３）。この送風によって生ごみＡは徐々に水分を奪われ乾燥していく。所定の時間送風後、制御装置２２は送風機２７を停止する（Ｓ０００４）。
【００２５】
次に、制御装置２２はシャッタ２８を開放し（Ｓ０００５）、乾燥室２６と微生物処理槽２１は連通し、同時に自重によって乾燥した生ごみＡは微生物処理槽２１に落下する（Ｓ０００６）。その後、生ごみＡは微生物処理槽２１内でごみ及びおがくず等の担体２５と共に撹拌され、微生物によって分解処理される。また、シャッタ２８は生ごみＡの落下後、制御装置２２によって再び閉鎖される（Ｓ０００７）。
【００２６】
そして、生ごみＡは乾燥室２６で乾燥処理を経た後に微生物処理槽２１に投入されることにより、微生物処理槽２１には多量の水分が入ることがなく、微生物処理槽２１が水分過多になることは無く、そのため、強い臭気を発生させることも無いものである。また、シャッタ２８は生ごみＡの落下後、制御装置２２によって再び閉鎖される。
【００２７】
以上述べた通り、本発明によれば、微生物処理槽２１の上部に乾燥部２６を配置することによって、乾燥後の生ごみＡを自重による落下にて移送することが可能となるものである。特別な移送手段を必要とせず、それらが汚れたりして匂い等の発生源になったり、故障することも無い。
【００２８】
また、乾燥室２６の下端、底面をシャッタ２８によって形成することにより、乾燥室２６での所定の乾燥工程を確実に実現し、微生物処理槽２１へのスムーズな移送を可能とするものである。また、前記シャッタ２８を乾燥室２６と微生物処理槽２１を隔絶する隔壁の開口に沿ってスライドするもので、乾燥室２６と微生物処理槽２１を上下に配置した場合にシャッタ２８の必要スペースを小さく構成でき、より高さの低いコンパクトな廃棄物処理装置が実現できるものである。
【００２９】
（実施例２）
図３は、本発明の第２の実施例における廃棄物処理装置の断面図を示すものである。図３において、実施例１の構成と異なるところについて説明を行う。３２は、乾燥室２６と微生物処理槽２１の間を開閉自在に隔絶するシャッタである。３３はシャッタ３２を回動する回動軸にして、シャッタ３２は同回動軸３３を中心に回動する円周面内壁３４を前記乾燥室２６の側壁２６ａと摺動すべく回転駆動される。３５はシャッタ３２と略一体に回動軸３３で回転する歯車にして、電動機３６にて駆動される。
【００３０】
以上の構成において、その動作を説明する。
【００３１】
制御装置２２は電動機３６を駆動し、回転駆動力は歯車３５を介して、回動軸３３を中心に同歯車３５と略一体なるシャッタ３２を回動する。これによって、シャッタ３２は開放し、生ごみＡは微生物処理槽２１に投入される。また、その後同様に制御装置２２は電動機３６を駆動し、回転駆動力は歯車３５を介して、略一体なるシャッタ３２を回動軸３３を中心に逆方向に回動し、シャッタ３２は閉塞する。なお、シャッタ３２の開閉以外については実施例１と同じであるので動作の説明は省略する。
【００３２】
本発明の実施例２による廃棄物処理装置にあっては、回動軸３３を中心に軸駆動により、開閉するシャッタ構成が可能で、電動機３６や歯車３５のような駆動部分をシャッタ３２面より離して設置できるため、汚れ等の影響を極力受けず、よりコンパクトで、スリップなどの不都合のない確実性の高い廃棄物処理装置が実現できるものである。
【００３３】
（実施例３）
図４は、本発明の第３の実施例における廃棄物処理装置の断面図を示すものである。図４において、実施例１の構成と異なるところについて説明を行う。
【００３４】
３７は蓋３０に近接して配置された蓋スイッチにして、蓋３０の開閉を検知するスイッチである。蓋スイッチ３７は制御装置２２に接続されている。
【００３５】
以上の構成において、その動作を説明する。基本的な動作は実施例１と同じであるが、乾燥室２６の送風機２７が運転中の状態で、蓋３０を開放すると、その動作は前記蓋スイッチ３７が検出し、制御装置２２はそれを検知して、送風機２７を停止する、もしくは風量を制限するものである。なお、その後、蓋３０が閉じられた場合には通常の運転を継続する。
【００３６】
このように、蓋３０の開放時には送風機２７を停止する、もしくは風量を制限することにより、運転中に不用意に蓋３０を開けられた場合でも、生ごみＡが飛び散るなどの支障の発生を防止できるものである。
【００３７】
なお、本実施例３にあっては、蓋スイッチ３７は開閉を検知するスイッチとして説明を行ったが、開閉の状態を検知するものであれば、光学的や磁気的なスイッチやまた、連続的な変化を起こすポテンショなどの抵抗素子であっても、本発明の意図から逸脱するものではない。
【００３８】
（実施例４）
図５は、本発明の第４の実施例における廃棄物処理装置のフローチャートを示すものである。
【００３９】
図５において、実施例４の動作を説明する。本発明の実施例４による廃棄物処理装置の本体２０の蓋３０を開放し、乾燥室２６に生ごみＡを投入する（Ｓ０１０１）。その際、シャッタ２８は閉じた状態である。その後、蓋３０を閉める（Ｓ０１０２）。蓋３０を閉めたことによって制御装置２２内ではタイマが起動し（Ｓ０１０３）、制御装置２２は所定時間の間、送風機２７を駆動する（Ｓ０１０４）。この送風によって生ごみＡは徐々に水分を奪われ乾燥していく。
【００４０】
所定時間の送風後、制御装置２２は送風機２７を停止する（Ｓ０１０５）。次に制御装置２２はシャッタ２８を開放し（Ｓ０１０６）、乾燥室２６と微生物処理槽２１は連通し、同時に自重によって乾燥した生ごみＡは微生物処理槽２１に落下する（Ｓ０１０７）。その後、生ごみＡは微生物処理槽２１内でごみおよびおがくず等の担体２５とともに撹拌され、微生物によって分解処理される。また、シャッタ２８は生ごみＡの落下後、制御装置２２によって再び閉鎖される（Ｓ０１０８）。
【００４１】
以上述べたように、使用者が特に意識をしなくても、ごみを投入して本体蓋３０を閉めることによって所定の乾燥行程を経て処理する工程が実施できるもので、利用者が意識することなく、乾燥から微生物分解へと行程を移行する使い勝手の良い廃棄物処理装置を実現できるものである。
【００４２】
（実施例５）
図６は、本発明の第５の実施例における廃棄物処理装置の要部断面図を示すものである。図６において、実施例１の構成と異なるところについて説明を行う。
【００４３】
３８は蓋３０の前方に配置された把手である。３９は前記把手３８の近傍内部に設けられたロック装置にして、ロック時には蓋３０の一部を係止し、蓋３０の開放を阻止するものである。４０はロック装置の稼動時（ロック時）にロックを表示するロック表示器である。なお、ロック表示機４０およびロック装置３９は前記制御装置２２に接続制御される。
【００４４】
以上説明した構成について動作を説明する。
【００４５】
基本的な動作は実施例１と同じであるが、制御装置２２はシャッタ２８の開放と同時にロック装置３９を駆動し、本体蓋３０をロックする。それと同時にロック表示機４０にも信号を出し、ロック状態を表示する。次に、シャッタ２８を閉じたら、ロック装置３９を稼動しロックを解除するとともにロック表示機４０のロック表示を消して、報知を終了する。以上のようにシャッタ２８開放時には蓋３０を開けることができないので、不用意に微生物処理槽２１に異物や殺菌効果のある微生物分解を阻害するものを落とすなどの失敗をすることがない。また、使用者もロック状態が報知されているので、外部よりシャッタ２８の開放状態を知ることができるため、無用の開放操作等を行うことがない。このように、より安心して使用できる廃棄物処理装置を実現できるものである。
【００４６】
（実施例６）
図７は、本発明の第６の実施例における廃棄物処理装置の要部断面図を示すものである。図７において、実施例１の構成と異なるところについて説明を行う。
【００４７】
４１は蓋３０のフック４２を係止するラッチにして、蓋３０を閉じた時に閉じた状態で保持する。４３は連結機構にして、外部から操作できる開放ボタン４４とラッチ４１を連結している。連結機構４３は制御装置２２に接続されており、制御装置２２からの信号で開放ボタン４４とラッチ４１との連結を開放することができる。
【００４８】
以上説明した構成について動作を説明する。
【００４９】
基本的な動作は実施例１と同じであるが、制御装置２２はシャッタ２８の開放時には連結機構４３を操作し、開放ボタン４４とラッチ４１との連結を開放するものである。この動作によって、シャッタ２８の開放時には開放ボタン４４を操作してもラッチ４１は動作しないため、蓋３０のフック４２が外れて蓋３０が開放することはない。
【００５０】
以上のように本発明によれば、シャッタ２８の開放時には外部操作によって蓋３０を開けられないため、不用意に微生物処理槽２１に異物や殺菌効果のある微生物分解を阻害するものを落とすなどの失敗をすることがない。
【００５１】
尚、上記実施例１〜実施例６において、乾燥手段として、送風機を備えた乾燥室を例にとり説明を行ったが、乾燥手段は厨芥の廃棄物を乾燥させるものであればどのようなものであっても良く、送風機を備えた乾燥室だけでなく、例えばヒータによる加熱等の手段を講じても良いものである。
【００５２】
【発明の効果】
以上のように、請求項１〜１３に記載の発明によれば、臭気の発生の少ない使い勝手の良い廃棄物処理装置を実現できるものである。
【図面の簡単な説明】
【図１】本発明の実施例１における廃棄物処理装置の断面図
【図２】本発明の実施例１における廃棄物処理装置の動作を示すフローチャート
【図３】本発明の実施例２における廃棄物処理装置の断面図
【図４】本発明の実施例３における廃棄物処理装置の断面図
【図５】本発明の実施例４における廃棄物処理装置の動作を示すフローチャート
【図６】本発明の実施例５における廃棄物処理装置の要部断面図
【図７】本発明の実施例６における廃棄物処理装置の要部断面図
【図８】従来の廃棄物処理装置の構成図
【符号の説明】
２０　廃棄物処理装置本体
２１　微生物処理槽
２２　制御装置
２３　撹拌モータ（撹拌手段）
２４　撹拌翼（撹拌手段）
２５　ごみ及びおがくず等の担体
２６　乾燥室
２７　送風機
２８　シャッタ
２９　開閉装置
３０　蓋
３１　ヒンジ
３２　シャッタ
３３　回動軸
３４　円周面内壁
２６ａ　乾燥室側壁
３５　歯車
３６　電動機
３７　蓋スイッチ
３８　把手
３９　ロック装置
４０　ロック表示器
４１　ラッチ
４２　フック
４３　連結機構
４４　開放ボタン
【図１】
2004016890.tif 000003
【図２】
2004016890.tif 000004
【図３】
2004016890.tif 000005
【図４】
2004016890.tif 000006
【図５】
2004016890.tif 000007
【図６】
2004016890.tif 000008
【図７】
2004016890.tif 000009
【図８】
2004016890.tif 000010